(57)【要約】【目的】データ放送を用いたクーポン印刷サービスを行う際に、その売上げの一部をＴＶ、パソコン、携帯電話、プリンタメーカに還元することができるデータ放送プリントサービスシステムを提供すること。【構成】放送局から送られたクーポン情報を印刷し、そのクーポンを使って割引等のサービスを行うビジネスにおいて、そのクーポン情報を受信したテレビ若しくはパソコン又は携帯電話の製造者情報、そのクーポンを印刷したプリンタ装置の製造者情報、クーポンを利用するユーザ情報の少なくとも１つ以上をクーポンと同時に印刷する。【選択図】      図１
2004220249.tif 000002
【特許請求の範囲】
【請求項１】
放送局から送られたクーポン情報を印刷し、そのクーポンを使って割引等のサービスを行うビジネスにおいて、そのクーポン情報を受信したテレビ若しくはパソコン又は携帯電話の製造者情報、そのクーポンを印刷したプリンタ装置の製造者情報、クーポンを利用するユーザ情報の少なくとも１つ以上をクーポンと同時に印刷することを特徴とするデータ放送プリントサービスシステム。
【請求項２】
クーポンに印刷する各情報の印刷位置データを受信する手段とそのデータを蓄えておく記憶手段を有するテレビ若しくはパソコン又は携帯電話或はプリンタを用いたことを特徴とする請求項１記載のデータ放送プリントサービスシステム。
【請求項３】
クーポンに印刷する各情報の印刷位置データを予め情報読み取り装置とテレビ若しくはパソコン又は携帯電話或はプリンタに送信しておくことを特徴とする請求項１記載のデータ放送プリントサービスシステム。
【請求項４】
クーポンに印刷する各情報の印刷データに読み取りをスキップさせるコードを印刷することを特徴とする請求項１記載のデータ放送プリントサービスシステム。
【発明の詳細な説明】
【０００１】
【発明の属する技術分野】
本発明は、ネットワーク、放送システムを用いたクーポン印刷サービスが可能なデータ放送プリントサービスシステムに関する。
【０００２】
【従来の技術】
近年、放送衛星を使ったデータ放送サービス（ＢＳデジタル放送）が実現され、これらサービスは、地上波デジタル放送に適応されつつある。
【０００３】
一例を挙げれば、ＢＳデジタル放送は、ＢＭＬ（Ｂｒｏａｄｃａｓｔ  Ｍａｒｋｕｐ  Ｌａｎｇｕａｇｅ）をＡＲＩＢ（Ａｓｓｏｃｉａｔｉｏｎ  ｏｆ  Ｒａｄｉｏ  Ｉｎｄｕｓｔｒｉｅｓ
ａｎｄ  Ｂｕｓｉｎｅｓｓｅｓ）で策定し、ＢＭＬ言語で記述されたファイルを放送し、受信機側でそのファイルを解析し、ファイルに記載されているスクリプトや規定されたタグ情報に基づき、静止画データをテレビ画面上に表示させたり、リンクされた静止画をリモコンで指定して表示させたりすることが可能になっている。
【０００４】
【発明が解決しようとする課題】
しかしながら、上述したＢＭＬ言語を用いた制御方法では、放送局から送られてくる印刷データを受信機で受け取り、リモコン操作によりプリンタで紙に印刷するといったサービスは提供されていない。
【０００５】
又、プリントした紙を用いたサービス、例えばクーポンサービスを行う場合にそのサービスを実施するに当たり、サービスに関与したメーカに広告費等が的確に分配されるようなシステムがなかった（第１の課題）。
【０００６】
更に、上述したクーポンサービスを更に広めるためにユーザにサービル利用の特典を更に広げる仕組みもなかった（第２の課題）。
【０００７】
更に、上述した紙によるクーポンサービスを複数実施するためには、クーポン利用先の店舗において、クーポン情報の読み取り手段が複雑になってしまうという問題も生じてしまう（第３の課題）。
【０００８】
本発明は上記問題に鑑みてなされたもので、その目的とする処は、データ放送を用いたクーポン印刷サービスを行う際に、その売上げの一部をＴＶ、パソコン、携帯電話、プリンタメーカに還元することができるデータ放送プリントサービスシステムを提供することにある。
【０００９】
【課題を解決するための手段】
上記目的を達成するため、請求項１記載の発明は、放送局から送られたクーポン情報を印刷し、そのクーポンを使って割引等のサービスを行うビジネスにおいて、そのクーポン情報を受信したテレビ若しくはパソコン又は携帯電話の製造者情報、そのクーポンを印刷したプリンタ装置の製造者情報、クーポンを利用するユーザ情報の少なくとも１つ以上をクーポンと同時に印刷することを特徴とする。
【００１０】
請求項２記載の発明は、請求項１記載の発明において、クーポンに印刷する各情報の印刷位置データを受信する手段とそのデータを蓄えておく記憶手段を有するテレビ若しくはパソコン又は携帯電話或はプリンタを用いたことを特徴とする。
【００１１】
請求項３記載の発明は、請求項１記載の発明において、クーポンに印刷する各情報の印刷位置データを予め情報読み取り装置とテレビ若しくはパソコン又は携帯電話或はプリンタに送信しておくことを特徴とする。
【００１２】
請求項４記載の発明は、請求項１記載の発明において、クーポンに印刷する各情報の印刷データに読み取りをスキップさせるコードを印刷することを特徴とする。
【００１３】
【発明の実施の形態】
以下に本発明の実施の形態を添付図面に基づいて説明する。
【００１４】
図１にデータ放送のクーポンデータをプリントした購買システムの概念図を示す。
【００１５】
本実施の形態におけるプリントによる商品購買システムは、テレビ若しくはテレビ機能付きパソコン又は携帯電話４を用いるユーザ３と、ユーザ３にクーポン等の情報を送信する放送局２、クーポンサービスを行うスポンサ１、ユーザ３からプリントされたクーポンを受け取り商品を販売する店舗６、ユーザ３がクーポンをプリントするために必要なテレビ、若しくはテレビ機能付きパソコン又は携帯電話４のメーカ７、プリントを行うプリンタメーカ８とから構成される。
【００１６】
先ず、図１の概念図を用いて、クーポンプリントによる商品購買システムを説明する。
【００１７】
先ず、クーポンデータのデータの流れについて説明する。
【００１８】
クーポンによる商品の割引き購買を行い販売促進を行うスポンサ１は、放送局にそのクーポンの印刷情報（クーポンデータ）１０１と印刷位置情報１０２を放送局に提出する。この印刷情報作成のために、広告代理店が放送局との間に入っても良い。
【００１９】
放送局２は、受け取った印刷情報（クーポンデータ）に、放送局２で作成した映像や音声情報をマルチプレクサし、トランスストリーム若しくはパケット化されたＩＰ（Ｉｎｔｅｒｎｅｔ  Ｐｒｏｔｏｃｏｌ）  をデジタルＢＳ放送帯域若しくは地上波デジタル帯域で放送する。
【００２０】
ユーザ３は、予めデジタルＢＳ若しくは地上波デジタル放送を受信できるテレビ若しくはパソコン又は携帯電話４をメーカ７から購入し、ユーザ登録を行う。
【００２１】
又、クーポンを印刷するためのプリンタ５もプリンタメーカ８から予め購入し、ユーザ登録を行う。
【００２２】
又、テレビ若しくはパソコン又は携帯電話４にプリンタ５が接続されたときに、プリンタメーカＩＤ等のプリンタ固有の情報１０４を、プリンタ５からテレビ若しくはパソコン又は携帯電話４に送信し、その情報をテレビ若しくはパソコン又は携帯電話４の内部のフラッシュＲＯＭ３１２に蓄える。この通信手段は、ＵＳＢ（Ｕｎｉｖｅｒｓａｌ  ｓｅｒｉａｌ  Ｂｕｓ  ）  でもＩＥＥＥ１３９４でも良い。
【００２３】
ユーザ３は、購入したテレビ若しくはパソコン又は携帯電話（以下、受信機と略す）４を使い、ＢＳデジタル若しくは地上波デジタル放送を受信する。受信機４は、送られてきたトランスポートストリームから印刷情報（クーポンデータ）部分のデータを抽出し、ユーザ３の購入要求割り込み（リモコンボタン等による選択）をトリガーとし、プリンタ５に印刷データを送る。このときの印刷データは、印刷データ（クーポンデータ）だけではなく、上述したプリンタ５から送られたプリンタメーカＩＤ等の情報と、受信機４が持つ受信機メーカＩＤ等のデータも含まれている。このクーポンデータと受信機、プリンタメーカＩＤ等は、紙に印刷され、その印刷レイアウトに関しては、指定される。指定方法は、後述する。
【００２４】
又、受信機に蓄えられるＩＤ等のデータは、予め内部のフラッシュＲＯＭ３１２に格納されてあっても良く、インターネットを介してメーカ７からフラッシュＲＯＭ３１２に書き込んでも良い。
【００２５】
ユーザ３は、印刷したクーポンを持参し、店舗６に出掛ける。ユーザ３は、クーポンに記載されている特典（割引き等）を受け、商品を購入する。このとき、クーポンは、店舗６にあるＩＤ読取装置９で読み取られ、クーポンに印刷されている受信機メーカＩＤやプリンタメーカＩＤを検出する。この検出は、各ＩＤが印刷されている場所の位置情報をスポンサ１が予め店舗６に送り、ＩＤ読取装置９に設定しておくことで行われる。
【００２６】
従って、プリンタ５は、ＩＤ読取装置９がＩＤ等を読み取れるような位置にＩＤ等を印刷する。店舗６は、読み取ったＩＤ、ここでは、ＴＶメーカＩＤ、プリンタＩＤ１０５とそのＩＤが記載されたクーポンで購入された商品の売上げ実績値をスポンサ１に送る。広告料の確認のために放送局にも同じ、ＩＤ情報、売上げ実績を送る。ＩＤはバーコードでも、数字でも何でも良い。
【００２７】
次に、広告料のお金の流れを説明する。
【００２８】
店舗６は、クーポン１０６を利用して購入された商品の売上金２０１をスポンサ１に随時送る。スポンサ１は、その売上げ金額の中から利益として店舗６の取り分２０２を店舗に供給する。
【００２９】
クーポンによるサービス期間が終了後、スポンサ１は、店舗６から送られたクーポンサービスに関わる売上げ実績データ１０７から今回のクーポンサービスの広告料として売上げ金額の一部（ａ％）２０３を放送局２に支払う。又、同時に、スポンサ１は、クーポンサービスに使われた受信機の数に応じて受信機メーカ（ＴＶ、ＰＣ、携帯電話メーカ）に広告料として売上げ金額の一部（ｂ％）２０４を支払う。又、同様にプリンタメーカに対してもクーポンサービスに使われたプリンタの数に応じてプリンタメーカ８に広告料として売上げ金額の一部（ｃ％）２０５を支払う。
＜実施の形態２＞
図２に実施の形態２を示す概念図を示す。
【００３０】
図１との違いは、受信機メーカ（ＴＶ、ＰＣ、携帯電話メーカ）７に送られる広告料２０４の一部をユーザ３にも還元することにある。
【００３１】
ユーザ３は、受信機（ＴＶ、ＰＣ、携帯電話）を予め購入するのではなく、受信機メーカ７とリース契約する。このリース料をクーポンサービスを使用した状況（例えば、回数や購入金額）に応じて変動するものである。
【００３２】
多くのクーポンサービスを利用した場合は、リース料金が安くなる。
【００３３】
この実施の形態で示したようなサービスを行うために、ユーザ３は予め受信機（ＴＶ、ＰＣ、携帯電話）メーカ７にユーザ登録をする。登録を行うと、受信機メーカ７は、ユーザＩＤデータをインターネット若しくは放送インフラを介して受信機４の中の記憶部分（図３では、フラッシュＲＯＭ３１２）に転送し保持する。
【００３４】
受信機４は、クーポンサービスのデータを受信したときに、この保持されたユーザＩＤのデータも印刷データとしてプリンタ５に送り印刷する。そして、店舗６は、このユーザＩＤデータを読み取り、スポンサ１に送る。スポンサ１は、上述した実施の形態のデータの他にこのユーザＩＤを受信機メーカ７に送る。
【００３５】
このことにより、クーポンを利用したユーザを受信機メーカ７は特定することができ、クーポンを利用したユーザの受信機リース料を下げることが可能となる。
【００３６】
次に、受信機４のブロック図を基にクーポンを印刷する実施の形態について説明する。
【００３７】
図３に受信機４のブロック図を示す。
【００３８】
放送局２から送られたテレビ放送電波は、放送衛星３０１を介してアンテナ３０２で受信される。３０３は受信したテレビ信号をディジタル信号に変換し、テレビの圧縮され変調された映像、音声を復調しＭＰＥＧ２のトランスポートストリーム（圧縮された映像、音声、データ等が複数本パケット化され混在しているストリーム）に変換するチューナーである。
【００３９】
３０４は受信したトランスポートストリームの中から、圧縮映像、圧縮音声、データ放送の各パケットを分離させる部分である分離部である。
【００４０】
３０５は分離部３０４で分離された圧縮映像信号のＭＰＥＧ２をデコードし、映像信号に変換する映像復号部、３０８は圧縮された音声データを音声データにデコードする音声復号部である。
【００４１】
３０６は映像データの表示フォーマット（画素数、フレーム周波数、走査方式）を変換したり、ＣＰＵ３１０で描画されるデータを制御するグラフィックプロセッサである。３０７はテレビ放送映像やＣＰＵ３１０で描画する画像データを表示する表示部である。
【００４２】
３０９はテレビ放送音声や、携帯電話の音声を出力するスピーカである。３１０は４（３００）の受信機全体を制御するＣＰＵ、３１１はＣＰＵ３１０のプログラム実行や一時データ保持用のＲＡＭ３１２は、ＣＰＵ３１０用のプログラムの保持、ＴＶメーカＩＤ、プリンタメーカＩＤ、ユーザＩＤ等を保持しておく書き換え可能なフラッシュＲＯＭである。
【００４３】
３１４はリモコン３１６からの信号をＣＰＵ３１０に送信するためのシリアル入出力部、３１５はリモコン３１６の赤外線データを受信し、ロジック信号に変換する赤外受光部、３１６は表示部３０７を見ながらユーザがクーポン印刷を選択したり、テレビのチャンネル選択を行うリモコンである。
【００４４】
３２２はインターネット３２４を介してＴＶ、ＰＣ、携帯電話、プリンタメーカからのＩＤ情報を外部からフラッシュＲＯＭ３１２に読み書きできるようにするためとインターネットからのクーポン印刷データを入力するためのモデムである。
【００４５】
３０１はテレビ放送用の衛星であり、放送が地上波である場合は、送信用地上波アンテナとなる。３２０は放送局から受信したクーポンデータや他のＩＤデータをプリンタ用の印刷データに変換する印刷データ変換部、３２１はクーポンを印刷するプリンタである。
【００４６】
携帯電話の機能を有する受信機の場合には、音声を入力するマイク３１８、音声をアナログからデジタル信号に変換するＡ／Ｄ部３１９、音声を送受信したり、印刷データを受信する送受信部３２３、電話番号や印刷を行うボタン等を選択するコンソール３１７がある。
【００４７】
又、３１３はクーポン情報等のデータ放送が多い場合に一時的にデータを格納しておく蓄積部であり、通常ハードディスクドライブで構成されている。
【００４８】
以下、上記各部の番号と照らし合わせて本発明の受信機３００（図１及び図２中では４）の動作を説明する。
（データ放送受信方法）
アンテナ３０２で受信された、クーポンデータを含むデータ放送＋映像、音声データは、チューナー３０３にて復調され、各データがパケット化されたトランスポートストリームに変換される。
【００４９】
トランスポートストリームは、分離部３０４に送られ、ここで、データ放送と映像、音声に分離される。
【００５０】
図４はトランスポートストリームの例を示している。
【００５１】
トランスポートストリームは、複数のデータ放送、印刷情報（クーポンデータ含む）、映像データ、音声データがＰＩＤ（Ｐａｃ  ｋｅｔ  ＩＤｅｎｔｉｆｉｅｒ）と言う識別信号を持つパケットに細かく分割されたビットストリーム列である。トランスポートストリームは、ＰＩＤ等が含まれるヘッダー部４０１とデータが含まれるペイロード４０２を１つの単位として構成される。このトランスポートストリームを選択するためには、チューナー３０３の受信周波数の設定が必要である。この選択は、リモコン３１６のボタンを使って３１５，３１４を介してＣＰＵ３１０でそのボタンを解釈しチューナ３０３に設定される。
【００５２】
トランスポートストリームは、そのストリーム中にどのようなデータ放送データや、映像、音声が入っているかを表すマップデータ（ＰＭＴ  （Ｐｒｏｇｒａｍ  Ｍａｐ  Ｔａｂｌｅｓ））も持っており、そのマップデータに基づきパケットを分離していく。
【００５３】
先ず、上述したマップのパケットデータがどのＰＩＤのパケットかを示すＰＡＴ（Ｐｒｏｇｒａｍ  Ａｓｓｏｃｉａｔｉｏｎ  Ｔａｂｌｅ）パケットを抜き出す。このパケットは、ＰＩＤ＝０Ｘ００００と定められている。
【００５４】
ＣＰＵ３１０は、このＰＩＤ情報０Ｘ００００を分離部３０４に送る。分離部３０４はそのＰＩＤを持つパケットをヘッダー４０１をチェックしていくことにより検出し一致するペイロードを読み込み、ＲＡＭ３１１に格納する。ＣＰＵ３１０は、格納されたＰＡＴ情報４０４から所望のＰＭＴのＰＩＤ番号を識別する。
【００５５】
更に、ＣＰＵ３１０は、識別した番組のＰＩＤを分離部３０４に送り、所望のＰＭＴの情報をＲＡＭ３１１に格納した後、データ放送、映像、音声がどのＰＩＤ情報に属しているかを認識する（図４では番組１であればＰＩＤＡ（Ａは数値）が番組１のＰＭＴ）。
【００５６】
ＣＰＵ３１０は、映像パケットのＰＩＤ情報（本例では、ＡＡ）を分離部３０４に送り、そのパケットデータ（ペイロード）は、分離され映像復号部３０５に送るように指示をする。又、音声パケットのＰＩＤ情報（本例では、ＰＩＤ＝ＢＢ）を分離部３０４に送り、そのパケットデータは、分離され音声復号部３０８に送るように指示する。
【００５７】
更に、ＣＰＵ３１０は、クーポン情報が含まれる印刷情報のＰＩＤ情報（本例では、ＰＩＤ＝ＤＤ）４０５を分離部３０４に送り、分離されそのパケットデータは、ＣＰＵ３１０がＲＡＭ３１１若しくは蓄積部３１３に格納する。
【００５８】
図５にＰＩＤ＝ＤＤのペイロード（クーポン情報が含まれる印刷情報）のフォーマット例を示す。
【００５９】
フォーマットは、印刷サービス基本情報部５０１と印刷サービスコンテンツ情報部５０２に分かれている。５０１の中には、データを取り扱うための情報、例えばデータ長やディレクトリ情報等が格納されているヘッダー情報５０３、スポンサ情報が格納されている５０４、クーポンサービスの有効期間が格納されている５０５、放送局等の印刷データを配信している配信先の情報５０６が格納されている。
【００６０】
５０２には、クーポン等の印刷コンテンツのデータ種別５０７、例えばＸＭＬ、ＢＭＬ、ＸＨＴＭＬＢａｓｉｃ、ＣＳＳ、Ｂｉｔｍａｐ等や印刷用紙サイズ等が記載されており、ＣＰＵ３１０は、先ずこの部分を検出し、そのデータ種別に適合するソフトウェアプレゼンテーションエンジンを起動させる。若しくは適合するハードウェア３０６にそのデータを転送する。
【００６１】
又、５０８にはクーポン情報を含む印刷データコンテンツが格納されている。この中には、ＴＶ、ＰＣ、携帯電話ＩＤ等のデータを印刷する位置指定情報５０９が格納されている。これは、印刷されたクーポンを店舗６のＩＤ読み取り装置９で読み取る際にその位置を指定できるようにしておけば、ＩＤ読み取り装置側のセンサ位置をその都度調整する必要がなくなる。
同様に、プリンタメーカ用ＩＤの印刷位置指定情報５１０やユーザＩＤ印刷位置指定情報５１１も含まれる。
【００６２】
図６に紙に印刷したクーポンの印刷例を示す。
【００６３】
ＣＰＵ３１０は、ＴＶ、ＰＣ、携帯電話ＩＤ位置情報５０９を蓄積部３１３若しくはＲＡＭ３１１から読み出し座標を解析し、フラッシュＲＯＭ３１２に格納されているＴＶ、ＰＣ携帯電話ＩＤのファイルデータ（例えば、ＰＮＧデータ）を解析した座標位置に展開できるように計算し、印刷データ変換部３２０でラスタデータ（プリンターデータ）に変換する。
【００６４】
６０１はＴＶメーカＩＤ６０３とプリンタメーカＩＤ６０４の位置指定を行わない場合である。この場合、ＩＤは受信機４で決めた勝手な位置に印刷してしまい、ユーザ３が店舗６に持っていくときに破れてＩＤが読めなくなってしまう恐れがある。６０２はＴＶメーカ、プリンタメーカＩＤ６０３，６０４は広告内容のすぐそばに印刷するように指定した場合である。
【００６５】
更に、クーポンサービスを複数同時に実施する場合において説明する。
【００６６】
ＩＤ読み取り装置９には、予め複数の読み取り位置情報をスポンサ１から受け取っておく。
【００６７】
又、サービスの個数も受け取っておく。ＩＤ読み取り装置９は、送られてた位置情報に基づきＩＤを次々にスキャンしていく。
受信機４、プリンタ５は、クーポンサービスの印刷情報や位置情報が複数ある場合は、ユーザが選択したクーポン部分は、指定された位置にＩＤを印刷するが、必要でないクーポンは、指定された位置にＩＤではなく、無効なコードデータ（データスキップコード）を印刷しておく。
【００６８】
ＩＤ読み取り装置９は、無効なコードデータ（データスキップコード）を認識した場合は、次の位置情報部分へスキップして別のスキャンを行い、順次必要なＩＤのみを読み取っていく。サービスの数分だけスキャンした場合は終了となる。
【００６９】
６０６にクーポンサービスが複数ある場合の印刷例を示す。６０７は無効なコード（データスキップコード）が印刷されている部分である。
【００７０】
【発明の効果】
以上の説明で明らかなように、本発明によれば、データ放送を用いたクーポン印刷サービスを行う際に、その売上げの一部をＴＶ、パソコン、携帯電話、プリンタメーカに還元することができる。
【００７１】
又、クーポンを使用するユーザは、クーポンによるサービス以外においても、ＴＶ、パソコン、携帯電話、プリンタメーカからリース料の割引等とサービスを受けることが可能になる。
【００７２】
更に、クーポンに印刷されたＩＤの読み取り位置を、店舗側で調整することなく、ＩＤを読み取ることが可能になり、素早いクーポンサービスの提供が可能になる。
【図面の簡単な説明】
【図１】本発明の実施の形態１に係るクーポンサービスの概念図である。
【図２】本発明の実施の形態２に係るクーポンサービスの概念図である。
【図３】受信機のブロック図である。
【図４】データ放送によるクーポン印刷データを含むトランスストリームの説明図である。
【図５】クーポン印刷データのファーマット図である。
【図６】クーポン印刷の一例を示す図である。
【符号の説明】
１    スポンサ
２    放送局
３    ユーザ
４    テレビ、パソコン、携帯電話
５    プリンタ
６    店舗
７    メーカ
８    プリンタメーカ
９    ＩＤ読取装置
１０１  印刷情報
１０２  印刷位置情報
１０４  プリンタ固有の情報
１０５  プリンタＩＤ
１０６  クーポン
３００  受信機
３０１  放送衛星
３０２  アンテナ
３０３  チューナー
３０４  分離部
３０５  映像復号部
３０６  グラフィックプロセッサ
３０７  表示部
３０８  音声復号部
３０９  スピーカ
３１０  ＣＰＵ
３１１  ＣＰＵ
３１３  蓄積部
３１４  シリアル入出力部
３１５  赤外受光部
３１６  リモコン
３１７  コンソール
３１９  Ａ／Ｄ部
３２０  印刷データ変換部
３２１  プリンタ
３２２  モデム
３２３  送受信部
３２４  インターネット
【図１】
2004220249.tif 000003
【図２】
2004220249.tif 000004
【図３】
2004220249.tif 000005
【図４】
2004220249.tif 000006
【図５】
2004220249.tif 000007
【図６】
2004220249.tif 000008